(57)【要約】【課題】内臓への影響が少なく、腰椎の固定が安定して行え、腰椎部への着脱が容易な腰痛バンド、及び、この腰痛バンドを用いた腰痛軽減保護方法を提供する。【解決手段】人体の腰椎部に宛われる弾力性を有する腰椎パット１２と、腰椎パッド１２を人体の腰椎部に固定する固定板１４と、固定板１４を人体の腰回りに保持するための腰バンド１６とを備えた構成とした。この場合、固定板１４又は腰椎パット１２にカイロ等の加温部材を具備するようにすると、腰痛軽減には一層効果的である。また、固定板１４には、可撓性のある素材を用いると、使用中に、利用者の体になじんで、腰椎パットの安定性が高まり、また、内臓への負担を軽減でき、特に、長期に亘る腰痛軽減効果にはより好適である。【選択図】　図１
2004121636.tif 000002
【特許請求の範囲】
【請求項１】
人体の腰椎部に宛われる弾力性を有する腰椎パットと、
前記腰椎パッドを前記人体の腰椎部に固定する固定板と、
前記固定板を人体の腰回りに保持するための腰バンドと、
を備えたことを特徴とする腰痛バンド。
【請求項２】
前記固定板と前記腰バンドとが一体的に形成されていることを特徴とする請求項１に記載の腰痛バンド。
【請求項３】
前記固定板又は前記腰椎パットにカイロ等の加温部材を具備するようにしたことを特徴とする請求項１又は２に記載の腰痛バンド。
【請求項４】
前記固定板は、プラスチック、セルロイド、皮革、柔軟性のあるアルミニウム板、ガラス繊維、形状記憶合金等の可撓性或いは可塑性のある素材により形成されていることを特徴とする請求項１乃至３のいずれかに記載の腰痛バンド。
【請求項５】
前記腰バンド幅は、３乃至５ｃｍとしたことを特徴とする請求項１乃至４のいずれかに記載の腰痛バンド。
【請求項６】
請求項１乃至５のいずれかに記載の腰痛バンドを腰回りに装着し、腰椎パッドを所定の押圧力で腰椎部に宛い、安定して腰痛軽減保護を行うようにしたことを特徴とする腰痛軽減保護方法。
【発明の詳細な説明】
【０００１】
【発明の属する技術分野】
本発明は、人体の腰痛治療後や普段に用いられる腰痛バンドに係り、特に、装着時に不必要に内臓を圧迫せず、かつ、ずれにくく、安定して腰椎を押圧でき、腰痛軽減保護に優れた効果を有する腰痛バンド、及び、その腰痛バンドを用いた腰痛軽減保護方法に関する。
【０００２】
【従来の技術】
従来より、腰痛軽減保護には、腰痛の発生源である腰椎部含む腰部を固定するヘルニアバンドが用いられている。
この従来のヘルニアバンド１００について、図１０（Ａ）、（Ｂ）を用いて説明する。
図１０（Ａ）は、従来のヘルニアバンド１００を展開した状態で示す全体図である。
また同図（Ｂ）は、従来のヘルニアバンド１００を人体の腰部１１０に装着した状態を示す側面図である。
【０００３】
図１０（Ａ）に示すように、従来のヘルニアバンド１００は、人体の腰椎部を広く安定に固定するために、幅広の帯状であり、また、柔軟に伸び縮みするようにメッシュ状に作られている。
図１０（Ｂ）に示すように、このヘルニアバンド１００を、腰痛の発生元である腰椎部を含む範囲で、腰部１１０に装着固定し、腰椎部への負担を軽減することにより、腰痛の軽減保護を行うようにしていた。
【０００４】
【発明が解決しようとする課題】
ところで、上述した従来のヘルニアバンドでは、腰椎の広い範囲を固定するために、帯状の幅が広く設計されており、このため、固定が必要である腰椎以外の胃や小腸等の内臓まで圧迫し、胃腸等の内臓機能に何らかの影響が及ぼされるという問題を備えていた。
【０００５】
また、従来のヘルニアバンドでは、例えば、肉体労働者等の体を動かす仕事に従事している場合は、体動によりずれやすく、固定しにくいという難点を有していた。
更に、従来のヘルニアバンドは、簡易に着脱できる構造ではないために、腰椎部への着脱に手間と時間が掛かるという欠点を有していた。
【０００６】
本発明は、上記課題（問題点）を解決し、内臓への影響が少なく、腰椎の固定が安定して行え、腰椎部への着脱が容易な腰痛バンド、及び、この腰痛バンドを用いた腰痛軽減保護方法を提供することを目的とする。
【０００７】
【課題を解決するための手段】
本発明の腰痛バンドは、請求項１に記載のものでは、人体の腰椎部に宛われる弾力性を有する腰椎パットと、前記腰椎パッドを前記人体の腰椎部に固定する固定板と、前記固定板を人体の腰回りに保持するための腰バンドと、を備えた構成とした。
【０００８】
このように構成すると、腰バンドの幅を狭くすることで、腹部を圧迫する部位が狭まり、胃や腸等の内臓への負担が少なくなる。
また、腰椎パットを固定板を介して固定することにより、腰椎パットがずれにくくなり、腰椎部を安定して固定することができる。
更に、腰バンドの着脱を容易にすることで、腰痛バンドの着脱も容易に行えることになる。
また、構成が簡単なために、軽量、コンパクトである他に、利用者の最善部に腰椎パットを宛うことができ、汎用性が高く、腰痛軽減効果が大きい。
【０００９】
請求項２に記載の腰痛バンドは、前記固定板と前記腰バンドとが一体的に形成されている構成とした。
【００１０】
このように構成すると、固定板が腰バンドと一体化するために、製作コストが削減でき、また、固定板の保持が安定する。
【００１１】
請求項３に記載の腰痛バンドは、前記固定板又は前記腰椎パットにカイロ等の加温部材を具備するように構成した。
【００１２】
このように構成すると、腰痛軽減には一層効果的である。
【００１３】
請求項４に記載の腰痛バンドは、前記固定板は、プラスチック、セルロイド、皮革、柔軟性のあるアルミニウム板、ガラス繊維、形状記憶合金等の可撓性或いは可塑性のある素材により形成されている構成とした。
【００１４】
このように構成すると、使用中に、利用者の体になじんで、腰椎パットの安定性が高まり、また、内臓への負担を軽減でき、特に、長期に亘る腰痛軽減にはより好適である。
この場合、利用者の為に、固定板を最初から利用者の形状に合わせて湾曲させておくのも良い。
【００１５】
請求項５に記載の腰痛バンドは、前記腰バンド幅は、３乃至５ｃｍとした構成とした。
【００１６】
このように構成すると、腹部を圧迫する部位が狭まり、胃や腸等の内臓への負担が少なくなるとともに、腰椎パットがずれにくくなり、腰椎部を安定して固定することができる。
【００１７】
本発明の腰痛軽減保護方法では、請求項１乃至５のいずれかに記載の腰痛バンドを腰回りに装着し、腰椎パッドを所定の押圧力で腰椎部に宛い、安定して腰痛軽減保護を行うようにした。
【００１８】
このようにすると、腰バンドの幅を狭くすることで、腹部を圧迫する部位が狭まり、胃や腸等の内臓への負担が少なくなる。
また、腰椎パットを固定板を介して固定することにより、腰椎パットがずれにくくなり、腰椎部を安定して固定することができる。
更に、腰バンドの着脱を容易にすることで、腰痛バンドの着脱も容易に行え、腰痛軽減補助保護が手軽に行えることになる。
【００１９】
【発明の実施の形態】
以下、本発明の腰痛バンドの基本構成及びその種々の応用例について、図１乃至図９を用いて詳細に説明する。
先ず、本発明の腰痛バンド１０の一実施の形態について、図１及び図２を用いて説明する。
図１は、本発明の腰痛バンド１０の基本形態を示す概略全体構成図で、同図（Ａ）は、正面図、同図（Ｂ）は裏面図である。
図２は、本発明の腰痛バンド１０を人体の腰部に装着した状態を示す図で、同図（Ａ）は、裏面図、同図（Ｂ）は正面図である。
なお、図２（Ａ）では、説明の便宜上、固定板１４を透視して図示してある。
【００２０】
図１に示すように、本実施の形態の腰痛バンド１０は、弾力性を有する腰椎パット１２と、この腰椎パッド１２を人体の腰椎部１２０（図２参照）に固定する固定板１４と、この固定板１４を人体の腰部１１０回りに保持するための腰バンド１６とを備えた構成である。
【００２１】
この腰痛バンド１０を、図２（Ｂ）に示すように、腰椎パット１２が人体の背面の腰椎部１２０、特に、腰痛が発生しやすい、腰椎３番、４番、５番（同図で数字で示している）、最下部の仙椎に掛かる範囲に宛い、固定板１４により腰椎パット１２を人体腰椎部１２０に固定し、更に、この固定板１４を、腰バンド１６を腰回りに装着することによって、腰椎部１２０に保持する。
【００２２】
本実施の形態の腰痛バンド１０では、腰椎パット１２を、腰痛が発生しやすい腰椎部１２０に宛うために、従来のヘルニアバンド１００（図１０参照）に比較して、体動に対してずれにくく、安定して、特に、重労働者、労働過重の勤労者には好適である。
【００２３】
また、従来のヘルニアバンド１００に比較して、固定板１４を腰バンド１６で保持するために、バンド幅を狭くでき、下腹部のみを固定するため、圧迫が不要な胃腸等の内臓への影響を極力小さくすることができる。
その上、構成が簡単なために、軽量、コンパクトである他に、利用者の最善部に腰椎パットを宛うことができ、汎用性が高く、腰痛軽減効果が大きい。
【００２４】
更に、本実施の形態の腰痛バンド１０を用いれば、腹筋や、背筋が圧迫されないために、腰の屈伸が妨げられることはなく、重労働者、労働過重の勤労者には、更に、好適である。
また、従来のヘルニアバンド１００と相異し、下着の上から装着できるために、上着を着ると外部に、腰痛バンド１０を装着していることに気づかれることがない。
特に、急性腰痛症、慢性ヘルニア、ギックリ腰、腰椎すべり症の患者には好適である。
【００２５】
次に、本実施の形態の腰痛バンド１０に用いる、腰バンド１６、固定板１４、腰椎パッド１２の各主要構成について、図１、図３乃至図９を用いて、順次、説明する。
【００２６】
先ず、固定板１４を腰椎部１２０に保持する腰バンド１６について、図１、図３を用いて具体的に説明する。
図３（Ａ）、（Ｂ）、（Ｃ）は、本発明の腰痛バンドに用いる腰バンド１６の例を示す概略図である。
【００２７】
腰バンド１６は、図１（Ａ）、（Ｂ）に示すように、腰回りに装着するベルト状の形状で、ズボンバンドと同様に留め具にて、着脱自在に形成されている。
また、腰バンド１６の他の形態としては、図３（Ａ）〜（Ｃ）に具体的に示されている。
同図（Ａ）は、留め具が矢印方向に着脱されるもの、同図（Ｂ）は２本の留め金で利用者の体型に適合させ、強度を補強したタイプのもの、同図（Ｃ）は、接触式の着脱テープ及びメッシュ収縮型で簡易に着脱するタイプのものである。
従って、本発明の腰痛バンド１０では、従来のヘルニアバンド１００とは相違して、人体への着脱が容易である。
【００２８】
また、本実施の形態の腰バンド１６の幅は、３乃至５ｃｍ、特に、個人差にもよるが、約４ｃｍが好適である。
このようにすると、従来のヘルニアバンド１００とは異なり、上述したように、下腹部のみ固定するために、内臓への影響を最小限に留めることができる。
なお、腰バンド１６を装着する位置としては、図２（Ｂ）に示すように、臍１１０ａの下から約５〜６ｃｍ位が良い。
【００２９】
腰バンド１６の素材については、皮革、布類、弾力性のあるプラスチック材、ポリエチレン材（ＰＥＴ）等が考えられるが、特にこれらに限定されるものではない。
また、図３では、革バンドを使用した例で示しているが、必ずしも留め具（留め部）は金属製でなければならない訳ではなく、プラスチック、接触式の着脱テープを用いても良い。
【００３０】
次に、本実施の形態に用いる固定板１４について、図４乃至図７を用い、図２を参照して具体的な説明を行う。
図４は、本発明の腰痛バンド１０に用いる固定板１４の基本例を示す図で、同図（Ａ）は正面図、同図（Ｂ）は側面図である。
図５乃至図７は、本発明の腰痛バンド１０に用いる固定板１４の応用例を示す図である。
【００３１】
上述したように、固定板１４は、腰椎パット１２を固定すると共に、上記した腰バンド１６により、人体の腰椎部１２０に保持されるもので、図２（Ｂ）及び図４（Ａ）に示すように、基本形は略板状の形状をしている。
固定板１４は、腰椎パッド１２を腰痛の発生源である腰椎部１２０に宛う際に、腰椎パット１２を固定するものであるので、腰椎パット１２を全面に安定保持できる面積を有すればよい。
【００３２】
図４（Ａ）に示すように、固定板１４には、基本的に腰バンド１６を通すためのリング１４ａが設けられ、これらを介して腰バンド１６に装着される。
また、図５（Ａ）〜（Ｃ）に示すように、マジックハンド１４ｂを介して腰バンド１６に装着される。
【００３３】
また、固定板１４の素材としては、プラスチック、セルロイド、皮革、柔軟性のあるアルミニウム板、ガラス繊維、形状記憶合金等の可撓性或いは可塑性のあるものを用いると、使用中に、利用者の体になじんで、腰椎パット１２の安定性、内臓への負担を軽減できてより好適である。
固定板１４に用いる素材としては可撓性、可塑性があれば、その材質に拘るものではないが、但し、可撓性、可塑性のある素材でも、人体に悪影響を与える可能性のあるものは、敢えて、使用するものではない。
【００３４】
固定板１４の他の応用例としては、図６（Ａ）に示すような、板状の角を切除して丸みを与えたもの、或いは、同図（Ｂ）に示すような略楕円形状のものにすると、背筋等への負担を軽減しながら、効果的な腰痛軽減補助を行うことが可能になる。
【００３５】
更に、固定板１４の他の応用例としては、図７（Ａ）に示すように、固定板１４に、腰バンド１６を通すための切れ目を設けたもの、同図（Ｂ）に示すように、固定板１４に血行を良くする効果を備えた磁石を取り付けて、腰痛軽減保護の効果を高めるように工夫されたもの、同図（Ｃ）に示すように、固定板１４に通気孔１７を設けて、長期に使用したとしても蒸れない工夫が加えられたもの等、基本形に対して、種々の改良例が考えられる。
【００３６】
次に、腰椎パット１２について、図８及び図９を用いて具体的な説明を行う。
図８は、本実施の形態の腰痛バンド１０に用いる腰椎パット１２の基本形を示す図で、同図（Ａ）は正面図、同図（Ｂ）及び（Ｃ）は裏面図である。
図９は、本実施の形態の腰痛バンド１０に用いる腰椎パット１２の改良形を示す図で、同図（Ａ）は正面図、同図（Ｂ）は裏面図である。
【００３７】
腰椎マット１２は、人体の背面の腰椎部１２０に直接宛われるもので、固定板１４の形状に合わせて、図８に示すように、略長方形状をしている。
素材としては、布製、スポンジ等、弾力性、吸水性を具えたものを用いるのが望ましい。
【００３８】
また、腰椎マット１２の裏面には、図８（Ｃ）に示すように、固定板１４に取り付けるための接触式の着脱テープ１２ｂが貼られ、固定板１４からの衝撃を和らげるために、同図（Ｂ）に示すように、幅の広いゴム１２ａが緩衝材として取り付けられている。
【００３９】
図示による説明は省略するが、固定板１４の裏面にも、腰椎マット１２に取り付けた接触式の着脱テープ１２ｂが宛われる位置に、同じく、接触式の着脱テープが貼り付けられ、接触式の着脱テープの吸着力により、腰椎パットは固定板に固定される。
これにより、腰椎マット１２が固定板１４からずれたり、不意の衝撃に対して患部が保護されるように工夫されている。
【００４０】
図８に示す腰椎マット１２の基本形は、腰バンド１６の張力を固定板１４を介して腰椎部１２０の押圧力に変換して、腰椎部１２０を固定して、腰痛を軽減するものであるが、図９に示す応用例としては、腰椎マット１２にカイロ等の加温材を挿入するための袋を設けて、開け口１２ｃからカイロを入れる。
このように、腰椎パット１２による腰椎部１２０の安定した固定の他に、腰椎部１２０を加温するようにすると、腰痛軽減には一層効果的である。
【００４１】
本実施の形態の腰痛バンド１０を用いて、腰痛軽減を行う際には、図１又は図３に示すような腰バンド１６に所定の張力が発生するように留め具を自分の胴回りに合わせ、固定板１４に取り付けられた弾力性を有する腰椎パット１２を腰椎部１２０に宛う（図２参照）。
すると、腰バンド１６の張力が、固定板１４を介して腰椎パット１２が人体の腰椎部１２０を押圧する押圧力に変換され、この押圧力により、腰椎部１２０が固定保持され、腰痛の軽減、腰痛軽減補助に効果的である。
また、上述したとおり腰椎パット１２にカイロ等の加温材を挿入すれば、加温材の加温効果により、腰痛の軽減には一層効果的である。
【００４２】
本発明の腰痛バンド１０の適用例としては、看護師、介護師、重労働従事者、長時間勤務者、長時間立ち労働に従事している者等、装着が容易で、内臓を圧迫せず、安定して腰椎を固定できるために、特に、好適である。
【００４３】
本発明の腰痛バンドは、上記実施の形態に限定されず種々の変更が可能である。
例えば、上記実施の形態では、腰バンドと固定板とが別構成のもので説明されたが、腰バンドと固定板とが一体的に成形されるようにしても良い。
同様に、固定板と腰椎パットとが一体的に成形されているものも、本願発明に含まれるのは勿論のことである。
【００４４】
【発明の効果】
本発明の腰痛バンド及び腰痛軽減保護方法は、上記のように構成したために、以下のような優れた効果を有する。
（１）本発明の腰痛バンドは、請求項１に記載したように、人体の腰椎部に宛われる弾力性を有する腰椎パットと、腰椎パッドを人体の腰椎部に固定する固定板と、前記固定板を人体の腰回りに保持するための腰バンドとを備えた構成とすると、腰バンドの幅を狭くすることで、腹部を圧迫する部位が狭まり、胃や腸等の内臓への負担が少なくなる。
（２）また、腰椎パットを固定板を介して固定することにより、腰椎パットがずれにくくなり、腰椎部を安定して固定することができる。
（３）更に、腰バンドの着脱を容易にすることで、腰痛バンドの着脱も容易に行えることになる。
（４）構成が簡単なために、軽量、コンパクトである他に、利用者の最善部に腰椎パットを宛うことができ、汎用性が高く、腰痛軽減効果が大きい。
【００４５】
（５）請求項２に記載したように、固定板と腰バンドとが一体的に形成されている構成とすると、固定板が腰バンドと一体化するために、製作コストが削減でき、また、固定板の保持が安定する。
【００４６】
（６）請求項３に記載したように、固定板又は腰椎パットにカイロ等の加温部材を具備するように構成すると、腰痛軽減保護には一層効果的である。
【００４７】
（７）請求項４に記載したように、固定板は、プラスチック、セルロイド、皮革、柔軟性のあるアルミニウム板、ガラス繊維、形状記憶合金等の可撓性或いは可塑性のある素材により形成されている構成とすると、使用中に、利用者の体になじんで、腰椎パットの安定性が高まり、また、内臓への負担を軽減でき、特に、長期に亘る腰痛軽減保護にはより好適である。
この場合、利用者の為に、固定板を最初から利用者の形状に合わせて湾曲させておくのも良い。
【００４８】
（８）請求項５に記載したように、腰バンド幅は、３乃至５ｃｍとすると、腹部を圧迫する部位が狭まり、胃や腸等の内臓への負担が少なくなるとともに、腰椎パットがずれにくくなり、腰椎部を安定して固定することができる。
【００４９】
（９）本発明の腰痛軽減保護方法では、請求項１乃至５のいずれかに記載の腰痛バンドを腰回りに装着し、腰椎パッドを所定の押圧力で腰椎部に宛い、安定して腰痛軽減保護を行うようにすると、腰バンドの幅を狭くすることで、腹部を圧迫する部位が狭まり、胃や腸等の内臓への負担が少なくなる。
（１０）また、腰椎パットを固定板を介して固定することにより、腰椎パットがずれにくくなり、腰椎部を安定して固定することができる。
（１１）更に、腰バンドの着脱を容易にすることで、腰痛バンドの着脱も容易に行え、腰痛軽減が手軽に行えることになる。
【図面の簡単な説明】
【図１】本発明の腰痛バンドの基本形態を示す概略全体構成図で、同図（Ａ）は、正面図、同図（Ｂ）は裏面図である。
【図２】本発明の腰痛バンドを人体の腰部に装着した状態を示す図で、同図（Ａ）は、裏面図、同図（Ｂ）は正面図である。
【図３】本発明の腰痛バンドに用いる腰バンドの例を示す概略図である。
【図４】本発明の腰痛バンドに用いる固定板の基本例を示す図で、同図（Ａ）は正面図、同図（Ｂ）は側面図である。
【図５】本発明の腰痛バンドに用いる固定板の応用例を示す図である。
【図６】本発明の腰痛バンドに用いる固定板の応用例を示す図である。
【図７】本発明の腰痛バンドに用いる固定板の応用例を示す図である。
【図８】本実施の形態の腰痛バンドに用いる腰椎パットの基本形を示す図で、同図（Ａ）は正面図、同図（Ｂ）及び（Ｃ）は裏面図である。
【図９】本実施の形態の腰痛バンドに用いる腰椎パットの改良形を示す図で、同図（Ａ）は正面図、同図（Ｂ）は裏面図である。
【図１０】従来のヘルニアバンドを説明する図で、同図（Ａ）は、展開した状態で示す全体図、同図（Ｂ）は、人体の腰部に装着した状態を示す側面図である。
【符号の説明】
１０：腰痛バンド
１２：腰椎パット
１４：固定板
１６：腰バンド
１２０：腰椎部
【図１】
2004121636.tif 000003
【図２】
2004121636.tif 000004
【図３】
2004121636.tif 000005
【図４】
2004121636.tif 000006
【図５】
2004121636.tif 000007
【図６】
2004121636.tif 000008
【図７】
2004121636.tif 000009
【図８】
2004121636.tif 000010
【図９】
2004121636.tif 000011
【図１０】
2004121636.tif 000012